(57)【特許請求の範囲】
【請求項１】
先端近辺に長手方向に延びる複数本のスリットを備えた可撓性を有するマレコットチューブと、
そのマレコットチューブに沿って軸方向に移動自在に配置され、その先端がマレコットチューブの先端に固定されている可撓性を有する心線と、
マレコットチューブの基端側に固定され、その端部から心線の基端を突出させている筒状のコネクタと、
そのコネクタに設けられる、心線の勝手な移動を拘束するストッパとを備えており、
前記コネクタの端部から突出している心線の基端にノブが取り付けられており、かつ、前記心線に、心線を基端側に引き出したとき、コネクタの端面からいくらか出ている部位を残して折り取るためのスナップ部が設けられている留置カテーテル。
【請求項２】
前記心線がマレコットチューブ内の流路内に空間を残して収容されている請求項１記載の留置カテーテル。
【請求項３】
前記ストッパが、心線が貫通する孔を備え、摩擦力で心線の移動を拘束するゴム体であり、そのゴム体が心線とコネクタとの間のシール作用を奏している請求項２記載の留置カテーテル。
【請求項４】
前記ストッパが、コネクタに設けられた、心線と機械的に係合する部材である請求項１記載の留置カテーテル。
【請求項５】
前記コネクタの側壁に、内部と外部を連通する開口部と、その開口部を開閉自在に密閉する蓋とが設けられている請求項２記載の留置カテーテル。
【請求項６】
前記マレコットチューブに、挿入代を確認する手段が設けられている請求項１記載の留置カテーテル。
【請求項７】
前記コネクタの端面に、折り取った残りの心線の端部を覆うカバー部が設けられている請求項１記載の留置カテーテル。
【請求項８】
前記心線の基端近辺が、あらかじめ先端側と基端側とに分離されると共に、それらの端部同士が、両者をその内部に通すスナップチューブによって連結されており、かつ、そのスナップチューブの心線の分離点よりいくらかずれた部位に、折り取り容易なスナップ点が形成されている請求項１記載の留置カテーテル。
【発明の詳細な説明】
【０００１】
【発明の属する技術分野】
本発明は留置カテーテルに関する。さらに詳しくは、動物や人体の尿道を通して膀胱まで挿入し、排尿を容易にしたり、膀胱内から採尿したり、膀胱内に投薬するためなどに用いる留置カテーテルに関する。
【０００２】
【従来の技術】
犬、猫などの動物や、人体などの尿道に炎症が生じた場合などには排尿が困難になる。そこで、一時的に外部からカテーテルを尿道内に挿入し、排尿の流路を確保するなどの治療にあたっている。また、膀胱内の病気についてもカテーテルが用いられる。
【０００３】
図７ａは犬、猫などの動物の治療の場合を示しており、尿道５１の先端からカテーテル５２を挿入している状態である。符号５３は膀胱、５４は尿道５１内に生じた炎症部である。このような動物の治療において、カテーテル５２を尿道５１内に留置せず、治療後にカテーテル５２を抜き取ることもできる。しかし治療の都度カテーテルを挿入することは動物の負担が大きい。また尿道炎などが悪化し、カテーテル５２が尿道５１に入らなくなったり、別の病気にかかり、開腹手術が必要になったり死に至ることがある。そのため図７ｂに示すように、カテーテル５２の外部に出ている部位の両側に設けた縫い付け部５５を皮膚に縫合し、カテーテル５２を常時尿道５１内に留置させることが行われている。
【０００４】
他方、人体の治療の場合は、図８に示すように、先端にバルーンを設けたカテーテル（バルーンカテーテル）６２を用いて尿道６１内に留置している。なお、符号６３は膀胱である。カテーテル６２の先端には、弾力的に膨縮自在のバルーン部６４が設けられており、カテーテル６２の基部には枝分かれした空気孔６５を設けている。そしてこの空気孔６５から空気を送気して膀胱６３内に挿入したバルーン部６４を拡張させ、空気孔６５を閉じることにより、カテーテル６２が尿道６１から抜けないようにする。カテーテル６２を尿道６１から抜く場合には、空気孔６５を開いて空気を逃がし、バルーン部６４をその弾力で収縮させる。
【０００５】
なお心臓内の電位を測定する電位カテーテルには、チューブの先端近辺に縦方向のスリットを形成したバスケット部を設け、チューブ内に通した心線の先端をチューブの先端に固着し、心線の出し入れにより多数の電極を配置したバスケット部を拡げるようにしたものが提案されている（米国特許第５２５５６７９号のＦＩＧ．７参照）。
【０００６】
【発明が解決しようとする課題】
前記動物の治療においてカテーテル５２の縫い付け部５５を動物の皮膚に縫い付ける場合は、カテーテル５２を長期間にわたって留置することは困難であり、動物のストレスも大きくなる。さらには、雄の場合においては、ペニスを包皮より露出させる必要があり、粘膜が乾燥し、別の炎症を生じ、開腹手術や死に至ることがある。他方、前記バルーンカテーテル６２は、皮膚に縫い付ける必要はないが、バルーン部６４がそれ自体の弾力性で収縮するので、たとえばバルーン部６４の表面に尿の成分が滞積し、その弾力性が損なわれ、空気孔６５を開いてもバルーン部６４が収縮しなくなることがある。そのような場合は、腹腔下よりバルーン部６４を強制的に破る手術を行なう必要が生ずる。
【０００７】
本発明は前記従来のカテーテルの問題を解決するため、皮膚に縫い付ける必要がなく、ワンタッチで尿道内に留置することができ、しかも容易に取り外すことができる留置カテーテルを提供することを技術課題としている。
【０００８】
【課題を解決するための手段】
本発明の留置カテーテル（請求項１）は、先端近辺に長手方向に延びる複数本のスリットを備えた可撓性を有するマレコットチューブと、そのマレコットチューブに沿って軸方向に移動自在に配置され、その先端がマレコットチューブの先端に固定されている可撓性を有する心線と、マレコットチューブの基端側に固定され、その端部から心線の基端を突出させている筒状のコネクタと、そのコネクタに設けられる、心線の勝手な移動を拘束するストッパとを備えており、前記コネクタの端部から突出している心線の基端にノブが取り付けられており、かつ、前記心線に、心線を基端側に引き出したとき、コネクタの端面からいくらか出ている部位を残して折り取るためのスナップ部が設けられていることを特徴としている。
【０００９】
このような留置カテーテルでは、マレコットチューブ内の液体を通すための流路とは別個に通路を設け、その通路内に心線を収容することもできるが、前記流路内に液体を通す空間を残して心線を収容するのが好ましい（請求項２）。その場合、前記ストッパを、心線が貫通する孔を備え、摩擦力で心線の移動を拘束するゴム体で構成し、そのゴム体で心線とコネクタとの間のシール作用を行わせるのが好ましい（請求項３）。ただしストッパを、コネクタに設けた心線と機械的に係合する部材で構成することもできる（請求項４）。さらに前記コネクタの側壁に、内部と外部を連通する開口部と、その開口部を開閉自在に密閉する蓋とを設けるのが好ましい（請求項５）。
【００１２】
したがってカテーテルを尿道に留置する場合は、まず、マレコットチューブを先端部が膀胱内に入るまで尿道に挿入し、ついで心線を引いてマレコット部を拡張させ、ストッパを作用させるという簡単な操作でよい。それによりマレコット部が拡張した状態が維持され、拡張したマレコット部が膀胱の内壁に引っかかり、カテーテルを尿道内に安全に留置することができる。それにより手技者の労力の低減化と、猫や犬などの動物へのストレスの軽減化を図ることができる。また、カテーテル本体を母体に対してやさしく留置することができ、治療期間の短縮、治癒率の向上を図ることができる。
【００１３】
なお、留置期間中、カテーテルはコネクタの部分だけが尿道の先端に出ているだけであるので、動物がこれに噛みつくおそれが少なく、また舐めても外れることがない。カテーテルを外す場合は、心線を押すことにより、拡張していたマレコット部を強制的に収縮させることができる。そのため、その状態でカテーテルを引くだけで、尿道から簡単に抜くことができる。また、コネクタの端部から突出した心線の基端にノブを取り付け、前記心線に、心線を基端側に引き出したときにコネクタの端面からいくらか出ている部位を残して折り取るためのスナップ部を設けているので、ノブを引っ張ることにより、容易に心線をコネクタから引き出すことができる。さらに引き出した後、スナップ部で心線を簡単に折り取ることができ、ノブや心線の無駄な突出部を容易に除去することができる。それにより、動物がノブをかじったり舐めたりしにくくなる。さらにスナップ部で折り取ることにより、一旦抜いた留置カテーテルのマレコット部を再拡張できなくなる。そのため再使用を防ぐことができ、二次感染などの心配がなくなり、完全なディスポーザブル性を保証することができる。
【００１４】
マレコットチューブの流路内に液体を通す空間を残して心線を収容した留置カテーテル（請求項２）では、流路が液体を通す空間と心線を挿通させる通路を兼ねているので、カテーテルをとくに太くする必要がなく、従来とほぼ同じ太さで構成することができ、しかも、内部空間が１本だけであるので、構成が簡単で製造が容易である。
【００１５】
ストッパを心線を貫通させるゴム体で構成し、そのゴム体で心線とコネクタとの間のシール作用を行わせる留置カテーテル（請求項３）は、ゴム体の弾力性と摩擦抵抗により、心線の軸方向の移動を拘束することができる。そのため、意図的に心線を移動する場合は容易に移動させることができ、しかも心線が勝手に移動するおそれが少ない。したがってマレコットを拡張したり収縮する操作が容易で、かつ、マレコットが勝手に拡がって留置カテーテルが尿道から抜け落ちるおそれが少ない。また、ストッパがゴム体だけで構成されているので、構成が簡単で製造が容易である。さらにゴム体はコネクタと心線の間でシール作用を奏するので、別個にシール部材を設ける必要がない。なお、ゴム体によるシール作用により、留置状態での外部から雑菌などが侵入することを防止しうる。前記ストッパをコネクタに設けた心線と機械的に係合する部材で構成する場合（請求項４）は、留置カテーテルが一層確実に抜けにくくなる。
【００１６】
コネクタの側壁に内部と外部を連通する開口部と、その開口部を開閉自在に密閉する蓋を設けた留置カテーテル（請求項５）では、開口部を介して膀胱からの採尿や治療薬の注入を容易に行うことができる。また留置状態では蓋で開口部を塞ぐことができるので、外部からの雑菌の浸入を防止しうる。
【００１７】
またマレコットチューブの先端部に、挿入代を確認する手段を設けた留置カテーテル（請求項６）では、マレコット部が膀胱内に入っていることを充分確認してからマレコットを拡張させることができる。さらに、マレコットコネクタの端面に、折り取った残りの心線の端部を覆うカバー部を設けた留置カテーテル（請求項７）では、心線の基端がカバー部に覆われているので、動物が心線の基端を舐めようとしても安全であり、あるいはその基端で皮膚などが傷つくおそれが少ない。
【００１８】
心線の基端近辺をあらかじめ先端側と基端側とに分離し、それらの端部同士をスナップチューブによって連結し、かつ、そのスナップチューブの特定の部位にスナップ点を形成した留置カテーテル（請求項８）では、心線の基端に曲げ方向の力を加えると、スナップチューブがスナップ点で破断し、心線を先端側と基端側に容易に分離することができる。さらに心線の分離している部位とスナップチューブのスナップ点とがずれているので、スナップチューブの破断部から突出している心線を他方のスナップチューブの空洞に挿入することができる。したがって、一旦分離したノブが付いている心線の基端側を一時的に先端側の端部に連結し、ノブを利用して心線を先端側に押すことができる。それによりマレコットを収縮させる操作が容易になる。
【００１９】
【発明の実施の形態】
つぎに図面を参照しながら本発明の留置カテーテルの実施の形態を説明する。図１および図２は本発明のカテーテルの使用状態を示す側面図、図３は本発明のカテーテルの一実施形態を示す一部断面側面図、図４ａは図３のカテーテルのコネクタ近辺を示す要部拡大縦断面図、図４ｂは図４ａの心線の拡大断面図、図４ｃは図４ｂの要部拡大断面図、図４ｄは図４ｂの心線の分離状態を示す断面図、図５ａは図３のカテーテルの先端部およびマレコット部を示す要部拡大断面図、図５ｂは図４ａのV-V 線断面図、図５ｃは図４ａのV-V 線断面図、図６ａは図３のカテーテルのマレコット部を拡張した状態を示す側面図、図６ｂは図６ａのVI-VI 線断面図である。
【００２０】
図３に示すカテーテル１の基部側（図面の右側）には、コネクタ２が設けられており、その先端に可撓性を有するマレコットチューブ３の基部が固着されている。コネクタ２は図４に示すように実質的に円筒状を呈しており、たとえば透明なアクリル樹脂などの合成樹脂の成形品からなる。コネクタ２の内部は空洞となっており、軸方向の両端には小孔がそれぞれ穿孔されている。コネクタ２の先端側は略円錐状に形成され、その部分にマレコットチューブ３の基部が埋め込まれて固着されている。マレコットチューブ３はたとえば透明なポリウレタン樹脂により形成されている。
【００２１】
コネクタ２の内部には円柱状のシールゴム４が装着されており、このシールゴム４の中心部分には前後に貫通した貫通孔５が穿設されている。なおコネクタ４内にシールゴム４を収容するため、コネクタ２は前部２ａと有底筒状の後部２ｂとに分けて成形し、シールゴム４を装着した後に、たとえば後部２ｂの前端を加熱成形するなどにより、前部２ａと溶着し、一体化する。なお、ネジで螺合してもよく、接着してもよい。シールゴム４はたとえば天然ゴムで形成しうる。このシールゴム４の貫通孔５および上記マレコットチューブ３内には、可撓性を有する心線６が軸方向に移動自在に挿通されている。心線６はたとえばステンレス製のワイヤなどで構成しうる。コネクタ２の後端には、折り取った心線６の端部を覆うためのカバー部２ｃを形成するべく、溝（スリット）２ｄが形成されている。
【００２２】
心線６の基部はコネクタ２の後端の孔２ｅより突出しており、その基端には略円柱状のノブ７が固定されている。この実施形態では、ノブ７に係合穴７ａを形成し、心線６の基端に固着した係合片（アンカー）７ｂを挿入することにより係止させている。さらに本実施形態では、図４ｂに拡大して示すように、心線６を分離点Ｐにおいて先端側６ａと基部側６ｂに分離し、その周囲に設けたスナップチューブ８により両者を連結している。すなわち先端側６ａはスナップチューブ８の前端部に固着し、基端側６ｂはスナップチューブ８の後部に固着している。スナップチューブ８はたとえばステンレス製のパイプから構成しうる。さらにスナップチューブ８の周囲には、図４ｃに示すように、環状溝からなる折り取り容易なスナップ点９が形成されている。スナップ点９の位置は、心線６の分離点Ｐよりいくらか基端側にずれている。なお、先端側にずれていてもよい。
【００２３】
スナップチューブ８の外径は、心線６がシールゴム４の貫通孔５に対し、スライド自在で、かつ、シールゴム４の貫通孔５の内周面が心線６の外周面を圧接する程度にシールゴム４の貫通孔５の内径よりいくらか小さくしている。それにより、両者の摩擦力により、ある程度以上の力を加えたときには心線６を軸方向に移動させることができ、しかも心線６が勝手に移動しないようにしている。それにより意図的な操作により心線を移動させて、任意の位置で止めておくことができる。同時に、心線６とコネクタ２の隙間から雑菌が侵入するのを防止している。
【００２４】
図４ａに戻って、コネクタ２の前方には、内部空洞と外部とを連通する開口１０が設けられている。さらにこの開口１０の部分に対応したコネクタ２の外周面には、環状の溝１１が周設されており、その溝１１に天然ゴム製のゴムリング１２が装着されている。なお図５ｃに示すように、環状溝１１の上部は平坦にされており、ゴムリング１２の対応する部位を肉厚にしている。そのためゴムリング１２は勝手に回動しない。ゴムリング１２の下部には窓１３が形成されている。このゴムリング１２は、図４ａのように窓１３が下向きになるように回動させている状態では開口１０を閉じることができ、窓１３が上向きになるように回動させると、コネクタ２の開口１０を開放することができる。すなわちこのゴムリング１２は請求項４の蓋である。
【００２５】
一方、マレコットチューブ３の先端側には、図５ａに示すように、スリット１５が軸方向に沿って切り込まれている。それらのスリット１５は図５ｂに示すように、マレコットチューブ３の周方向に沿って略等間隔で３本形成している。この部分がマレコット部１６である。スリット１５の長さは、マレコットチューブ３の外径や長さに応じて適宜選択できるが、外径１．５ｍｍで長さ１１５ｍｍ程度のマレコットチューブの場合、スリット１５の長さは２０ｍｍ程度である。スリット１５な通常は、切り込みにより形成するので幅はない。しかし幅のあるスリット１５を設けてもよい。心線６の先端にはステンレス製のチューブ状のチップ１７が固着されており、このチップ１７の外周面とマレコットチューブ３の先端近辺の内周面とをエポキシ系の接着剤などで接着し、さらにマレコットチューブ３の先端の空所にその接着剤１８を充填している。それにより、心線６の先端部はマレコットチューブ３の先端近辺に固着される。なお、硬化した接着剤１８の先端は、研磨するなどにより丸く加工しており、それにより挿入時の尿道が保護される。
【００２６】
前記ステンレス製のチップ１７はＸ線を透過するので、造影部材として利用することができない。また、ステンレス製の心線６も造影部材として使用できない。しかし心線６に被せるチップ１７を白金、タングステン、金などで構成すると造影作用が高くなる。また、チップ１７に代えて、コイル状のものを心線６に被せるようにしてもよい。さらにマレコットチューブ３の材料に、硫酸バリウム、次炭酸ビスマスなどの造影性のある粉末を混合したものを、チューブの先端あるいは全長に渡って用いることにより、マレコットチューブ３自体に造影作用を付与することができる。このように留置カテーテルに造影作用を付与する場合は、留置カテーテルを尿道に装着するとき、Ｘ線で膀胱内におけるチップ１７の位置を確認し、マレコット部が膀胱内に充分に入っていることを確認してからマレコット部を拡張させることができる。また、図１に示すようにマレコットチューブ３の根元近辺に、スケール（目盛り）１７ａを印刷しておくと、図１のように尿道に挿入したとき、マレコットチューブ３の先端のおおよその位置がわかる。上記のチップ１７などの造影部材やスケール１７ａは、請求項５における「挿入代を確認する手段」である。
【００２７】
また、心線６の外径はマレコットチューブ３の内径より小さくしており、それにより図５ｂに示すように、マレコットチューブ３の内周面と心線６との間に空間１９を設けている。この空間１９はをマレコットチューブ３の先端側からコネクタ２の内部の空洞まで連続している。その空間１９はカテーテル１による採尿用や投薬用の流路である。すなわちこの実施形態では、マレコットチューブ３の内部空洞は心線６を通す通路と、液体を流す流路と兼ねている。
【００２８】
上記のごとく構成されるカテーテル１は、片手の指でコネクタ２を摘み、他方の手の指でノブ７を摘んで引くと、それに連動して心線６も手前にスライドする。なおノブ７を摘んだ手を静止させてコネクタ２を摘む手を押しても同じである。心線６が手前に引かれると、マレコットチューブ３の先端も手前に引かれ、圧縮力が加わる。それによりマレコット部１６を構成する３本のテープ状の部分１６ａが座屈し、マレコット部１６を図６ａおよび図６ｂに示すように拡張させることができる。そしてマレコット部１６を拡張させた状態でノブ７から手を離しても、上述したようにシールゴム４の摩擦力により、心線６はその位置で保持される。なお上記の操作は、マレコットチューブ３および心線６が滑らかに湾曲している場合でも可能である。
【００２９】
上記のように心線６をコネクタ２から引き出すと、図４ｂに示すように、スナップチューブ８がコネクタ２の貫通孔５から出てくる。そこでスナップ点でスナップチューブを折り取る。それにより図４ｄに示すように、折り取った残りの部分がコネクタ２の貫通孔５から出た状態で残る。しかしその部分はカバー部２ｃで挟まれている溝２ｄ内に隠れているので、邪魔にならない。その状態でカテーテル１を留置させておく。折り取った側のノブ７、心線６ｂおよびスナップチューブ８は保管しておく。なお残った部分では、図４ｄに示すように、心線６ａの端部がスナップチューブ８の端部よりいくらか引っ込んでいる。
【００３０】
ついでカテーテル１を取り外す場合は、保管しておいたノブ７を摘み、折り取った側の心線６ｂの先端を残っているスナップチューブ８の端部に嵌合させ、心線６ａ、６ｂの端面同士を当接させる。その状態でノブ７を押すと、心線６ａ、６ｂの全体がマレコットチューブ３の先端側にスライドするので、マレコット部１６は図３に示すように元の状態に戻る。なお上記の戻し操作についても、マレコットチューブ３および心線６が滑らかに湾曲していても可能である。
【００３１】
つぎに実際に犬、猫などの動物、人体などの尿道にカテーテル１を挿入して治療する場合について説明する。まず、マレコット部１６を膨らませない状態のカテーテル１を、図１の尿道２０内に先端から挿入していき、マレコット部１６の先端部を膀胱２１内に位置させる。ついでノブ７を手前に引いて心線６を手前にスライドさせると、膀胱２１内のマレコット部１６が拡張する。そのため拡張したマレコット部１６がストッパとなって、マレコット部１６が膀胱２１から抜け出るのを防止することができ、カテーテル１を留置することができる。
【００３２】
このようにカテーテル１を留置させた状態で、種々の治療を行う。たとえば図２は、コネクタ２から蓋（栓）２２を外し、コネクタ２の開口１０に採尿器２３を入れ、膀胱２１内の尿をカテーテル１の流路（空間）１９を介して採尿している状態を示している。さらにコネクタ２の開口１０から流路１９を介して膀胱２１内に治療薬を注入することもできる。
【００３３】
治療が完了してカテーテル１を取り外す場合は、心線６を先端側に押すとマレコット部１６が収縮して閉じる。そのため、そのままカテーテル１を手前に引くことにより、カテーテル１を尿道２０から容易に抜くことができる。
【００３４】
このように、上記のカテーテル１では、尿道２０内に挿入して、ノブ７を手前に引くだけで、膀胱２１ないし尿道２０内にカテーテル１をワンタッチで留置することができる。そのため、治療期間の短縮、治癒率の向上を図ることができる。また、従来の方法と比較して、より簡単にカテーテル１を留置しうるので、手技者の労力の低減、動物へのストレスの軽減化を図ることができる。また、カテーテル１を尿道２０から抜く場合も、簡単である。さらにノブ７がスナップ部で分離されているので、心線６ａを再度引くことができず、マレコット部が開かない。そのため完全なディスポーザブル性も確保することができる。
【００３５】
なお、上記の実施形態では、心線６をその位置で止める方法としてシールゴム４の摩擦力を用いている。そのため、シールゴム４の貫通孔５の部分でシール性が保持されることになり、カテーテル１の留置状態で外部から尿道２０内に雑菌などが入るのを防止することができる。
【００３６】
また、構成を簡単にするため、スナップチューブ８を用いずに、心線６に直接スナップ点を設けることもできる。また心線６を工具で折り取ったり折り曲げたりするようにしてもよい。しかしスナップチューブ８を設けたり、スナップ点９を設ける方が操作が簡単であるので好ましい。またスナップチューブ８のスナップ点として、あるいは心線６に設けるスナップ点として、あらかじめ分離しているスナップチューブの端部同士や心線の端部同士を、折り取り可能な接着剤などで接合してもよい。またスナップチューブ８を設けると、その部位の心線６の直径が大きくなるので、シールゴムによる摩擦力が安定する利点がある。
【００３７】
他方、スナップチューブあるいは心線とシールゴムとの摩擦だけでは心線が移動するおそれがある場合は、たとえば心線とコレットチャックからなる機械的なストッパ機構を設ける。このストッパ機構はコネクター、心線、コレットチャックおよび締付けナットから構成されている。
【図面の簡単な説明】
【図１】  本発明のカテーテルの使用状態を示す概略側面図である。
【図２】  本発明のカテーテルの他の使用状態を示す概略側面図である。
【図３】  本発明のカテーテルの一実施形態を示す一部断面側面図である。
【図４】  図４ａは図３のカテーテルのコネクタ近辺を示す要部拡大縦断面図、図４ｂは図４ａの心線の拡大断面図、図４ｃは図４ｂの要部拡大断面図、図４ｄは図４ｂの心線の分離状態を示す断面図である。
【図５】  図５ａは図３のカテーテルの先端部およびマレコット部を示す要部拡大断面図、図５ｂは図４ａのV-V 線断面図、図５ｃは図４ａのV-V 線断面図である。
【図６】  図６ａは図３のカテーテルのマレコット部を拡張した状態を示す側面図、図６ｂは図６ａのVI-VI 線断面図である。
【図７】  図７ａは従来の動物用のカテーテルの使用状態を示す概略側面図であり、図７ｂはそのカテーテルの平面図である。
【図８】  従来例の人体用の留置カテーテルの使用法を示す概略側面図である。
【符号の説明】
１  カテーテル
２  コネクタ
３  マレコットチューブ
４  シールゴム
５  貫通孔
６  心線
６ａ  先端側（心線）
６ｂ  基端側（心線）
７  ノブ
８  スナップチューブ
Ｐ  分離点
９  スナップ点
１０  開口
１１  溝
１２  ゴムリング
１３  窓
１５  スリット
１６  マレコット部
１７  チップ
１８  接着剤
１９  空間（流路）
２０  尿道
２１  膀胱
２２  蓋
２３  採尿器
【図１】
0004347486.tif 000002
【図２】
0004347486.tif 000003
【図３】
0004347486.tif 000004
【図４】
0004347486.tif 000005
【図５】
0004347486.tif 000006
【図６】
0004347486.tif 000007
【図７】
0004347486.tif 000008
【図８】
0004347486.tif 000009